【手続補正書】
【提出日】平成17年11月14日(2005.11.14)
【手続補正１】
【補正対象書類名】明細書
【補正対象項目名】発明の名称
【補正方法】変更
【補正の内容】
【発明の名称】商品取引処理装置
【手続補正２】
【補正対象書類名】明細書
【補正対象項目名】特許請求の範囲
【補正方法】変更
【補正の内容】
【特許請求の範囲】
【請求項１】  販売者側端末及び購入者側端末とネットワークを介して接続され、ある期間を過ぎると価値がなくなる或いは減少する商品の売買取引処理を行う商品取引処理装置であって、
前記購入者側端末から受信した注文情報を前記販売者側端末に送信し、前記送信した注文情報に対する前記販売者側端末からの応募情報を受信したときに相対取引の成約処理を行う第一の予約相対取引処理手段と、
前記販売者側端末から受信した販売情報を前記購入者側端末に送信し、前記送信した販売情報に対する前記購入者側端末からの購入登録情報を受信したときに相対取引の成約処理を行う第二の予約相対取引処理手段と、
前記購入者側端末から受信した注文情報に含まれる商品と、前記販売者側端末から受信した販売情報に含まれる商品と、の商品条件が合致する情報を、同一画面内にそれぞれ一覧表示するのに用いられる画面情報として前記購入者側端末及び／又は前記販売者側端末に送信する送信手段と、
を有することを特徴とする商品取引処理装置。
【請求項２】  前記購入者側端末から受信した複数の注文情報と、前記販売者側端末から受信した複数の販売情報と、の双方の条件があう情報に対して成約処理を行う取引処理手段を更に有し、
前記送信手段は、前記購入者側端末から受信した注文情報に含まれる商品と、前記販売者側端末から受信した複数の販売情報に含まれる商品と、の商品条件が合致する情報、或いは、前記販売者側端末から受信した販売情報に含まれる商品と、前記購入者側端末から受信した複数の注文情報に含まれる商品と、の商品条件が合致する情報を、同一画面内にそれぞれ一覧表示するのに用いられる画面情報として前記購入者側端末及び／又は前記販売者側端末に送信することを特徴とする請求項１に記載の商品取引処理装置。
【手続補正３】
【補正対象書類名】明細書
【補正対象項目名】０００１
【補正方法】変更
【補正の内容】
【０００１】
【発明の属する技術分野】
本発明は、例えば、花卉や青果物等のライフサイクルの短い生鮮商品や、有効期限のあるチケット等のサービス商品、使用日が限れた航空チケットのように、ある期間が過ぎてしまうと商品価値がなくなる或いは減少する各種商品の売買取引に用いられる商品取引処理装置に関するものである。
【手続補正４】
【補正対象書類名】明細書
【補正対象項目名】０００６
【補正方法】変更
【補正の内容】
【０００６】
本発明は上記の点に鑑みなされたもので、計画的な商品の販売及び計画的な商品の調達を画面上で容易に且つ効率的に可能とし、特に、異なる取引形態に関する情報を同一画面上に表示することを可能とすることで、商品の売買取引の効率を飛躍的に向上させた商品取引処理装置を提供することを目的とする。
【手続補正５】
【補正対象書類名】明細書
【補正対象項目名】０００７
【補正方法】変更
【補正の内容】
【０００７】
【課題を解決するための手段】
そこで、上記問題を解決するため、本発明は、販売者側端末及び購入者側端末とネットワークを介して接続され、ある期間を過ぎると価値がなくなる或いは減少する商品の売買取引処理を行う商品取引処理装置であって、前記購入者側端末から受信した注文情報を前記販売者側端末に送信し、前記送信した注文情報に対する前記販売者側端末からの応募情報を受信したときに相対取引の成約処理を行う第一の予約相対取引処理手段と、前記販売者側端末から受信した販売情報を前記購入者側端末に送信し、前記送信した販売情報に対する前記購入者側端末からの購入登録情報を受信したときに相対取引の成約処理を行う第二の予約相対取引処理手段と、前記購入者側端末から受信した注文情報に含まれる商品と、前記販売者側端末から受信した販売情報に含まれる商品と、の商品条件が合致する情報を、同一画面内にそれぞれ一覧表示するのに用いられる画面情報として前記購入者側端末及び／又は前記販売者側端末に送信する送信手段と、を有することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００８６
【補正方法】変更
【補正の内容】
【００８６】
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって上述した実施の形態の機能が実現される場合も含まれることは言うまでもない。
以上説明したように本実施形態では、各々が異なる取引形態を有する各取引処理に関する情報を同一画面上で同時に参照しながら、それらの取引処理の実行による商品の取引（所謂先渡し取引等）をネットワーク上で可能にし、今迄にない販売及び調達の機会を売手側及び買手側に与えることができるようになる。このため、従来にない効率的な商品取引を行うことができる。
より具体的には、例えば、買手側は、購入希望する商品についての購入情報を入力することで、その購入情報及びそれに対して売手側が出した応募情報等を含む情報（第１の取引処理の実行により発生した情報）と、売手側が出した販売希望する商品についての販売情報のうち購入希望する商品に該当する販売情報（第２の取引処理の実行により発生した情報）とを、同一画面上にて同時に参照しながら、異なる２つの取引処理の実行により、購入希望する商品の取引を可能にした。また、売手側は、販売希望する商品についての販売情報を入力することで、その販売情報及びそれに対して買手側が出した購入登録情報等を含む情報（第２の取引処理の実行により発生した情報）と、買手側が出した購入希望する商品についての購入情報のうち販売希望する商品に該当する購入情報（第１の取引処理の実行により発生した情報）とを、同一画面上にて同時に参照しながら、異なる２つの取引処理の実行により、販売希望する商品の取引を可能にした。
このような構成とすることで、少なくとも次のような効果が得られる。
（１）買手業者は、卸売市場等に出向く必要がなく、自端末装置にて、購入希望する商品が販売されているか、また、自分が購入希望（注文）した商品に対して売手側から応募があったか等を容易に把握することができ、購入希望する商品を容易に且つ確実に仕入れることができる。また、調達計画を立てて、事前にこれを行うこともできる。
また、買手側は、自端末装置にて、大量の商品を希望する場合であっても、容易に且つ確実に品揃えすることができる。
（２）売手業者は、自端末装置にて、販売する商品に買手がつくか、どのくらいの量を販売できるか、また、販売する商品に該当するものを買手側が希望しているか等を容易に把握することができ、販売希望する商品を容易に且つ確実に販売することができる。また、販売計画を立てて、事前にこれを行うこともできる。さらに、無駄な商品の発生も抑えることができ、特に、ある期間を過ぎると価値が無くなる生花等においては、その商品の鮮度保持も可能となる。
（３）商品の出荷前に売手側と買手側間でその商品の取引を行うことができる。また、複数の取引処理に必要な情報を参照或いは利用しながら、それらの取引処理による取引を同時に行うこともできる。さらに、自分の得たい商品の情報を容易に抽出し、それを参照することができる。さらにまた、パーソナルコンピュータ等を利用することで、取引の効率を飛躍的に向上させることができる。
【手続補正１９】
【補正対象書類名】明細書
【補正対象項目名】００８７
【補正方法】変更
【補正の内容】
【００８７】
【発明の効果】
本発明によれば、計画的な商品の販売及び計画的な商品の調達を画面上で容易に且つ効率的に可能とし、特に、異なる取引形態に関する情報を同一画面上に表示することを可能とすることで、商品の売買取引の効率を飛躍的に向上させた商品取引処理装置を提供することができる。
【手続補正２０】
【補正対象書類名】明細書
【補正対象項目名】００８８
【補正方法】削除
【補正の内容】
【手続補正２１】
【補正対象書類名】明細書
【補正対象項目名】００８９
【補正方法】削除
【補正の内容】
【手続補正２２】
【補正対象書類名】明細書
【補正対象項目名】００９０
【補正方法】削除
【補正の内容】
【手続補正２３】
【補正対象書類名】明細書
【補正対象項目名】００９１
【補正方法】削除
【補正の内容】